(57)【特許請求の範囲】
【請求項１】
弾球遊技機の遊技盤面上に位置して流下する遊技球の挙動を変化させる釘本体と、前記釘本体の遊技盤側軸部に設けられる弾性体からなる釘可動部材と、前記釘可動部材を内部に収容し該釘可動部材を遊技盤に固定する筒状部材とを備え、前記釘本体に荷重が掛かると前記釘可動部材の弾性力によって該釘本体が可動しうるようにしたことを特徴とする弾球遊技機の遊技釘。
【請求項２】
弾球遊技機の遊技盤面上に位置して流下する遊技球の挙動を変化させる釘本体と、前記釘本体を挿入する釘挿入孔を有し前記釘本体の軸部を保持する固定部と鍔部とによって形成された保持体と、前記保持体の外周に設けられる弾性体からなる釘可動部材と、中空状に形成された有底筒体であって前記釘可動部材を内部に収容し該釘可動部材を遊技盤に固定する筒状部材とを備え、前記釘本体に荷重が掛かると前記釘可動部材の弾性力によって該釘本体が可動しうるようにしたことを特徴とする弾球遊技機の遊技釘。
【請求項３】
弾球遊技機の遊技盤面上に位置して流下する遊技球の挙動を変化させる釘本体と、前記釘本体を挿入する釘挿入孔を有し前記釘本体の軸部を保持する固定部と鍔部とによって形成された保持体と、前記保持体の外周に設けられる弾性体からなる釘可動部材と、中空状に形成された有底筒体であって前記釘可動部材を内部に収容し該釘可動部材を遊技盤に固定する筒状部材と、上蓋部と筒状の胴部と底部とからなり該上蓋部及び該底部に前記釘本体を挿入する貫通孔が穿設され前記筒状部材に嵌合される蓋部材とを備え、前記釘本体に荷重が掛かると前記釘可動部材の弾性力によって該釘本体が可動しうるようにしたことを特徴とする弾球遊技機の遊技釘。
【請求項４】
弾球遊技機の遊技盤面上に位置して流下する遊技球の挙動を変化させる釘本体と、前記釘本体の遊技盤側軸部に設けられる弾性体からなる釘可動部材と、中空状に形成された有底筒体であって前記釘可動部材を内部に収容し該釘可動部材を遊技盤に固定する筒状部材と、上蓋部と筒状の胴部とからなり該上蓋部に前記釘本体を挿入する貫通孔が穿設され前記筒状部材に嵌合される蓋部材とを備え、前記釘本体は、基端側に鍔部が形成されていると共に略中央部分に球体部が形成され、前記蓋部材はその内側面が前記釘本体の球体部に対応した球面となっており、前記釘本体に荷重が掛かると前記釘可動部材の弾性力によって該釘本体が可動しうるようにしたことを特徴とする弾球遊技機の遊技釘。
【請求項５】
前記釘可動部材がスプリングであり、前記筒状部材の内側底部に前記スプリングを嵌挿する円形の溝が設けられていることを特徴とする請求項２乃至請求項４記載の弾球遊技機の遊技釘。
【発明の詳細な説明】
【０００１】
【発明の属する技術分野】
本発明は、弾球遊技機の遊技釘に関し、特に遊技球の衝突等によって釘本体に荷重が掛かると釘本体が可動し得るように構成された弾球遊技機の遊技釘に関するものである。
【０００２】
【従来の技術】
一般にパチンコ遊技機、スマートボール遊技機等のいわゆる弾球遊技機は、遊技球を遊技領域内へ送り出し、遊技盤上に多数配設された遊技釘によって流下する遊技球の挙動を変化させながら遊技球がアウト口へ入るか、あるいは入賞口に入り、賞球を獲得し得るかを楽しむものである。そのため、弾球遊技機に遊技釘は不可欠のものとなっている。
【０００３】
しかしながら、従来の遊技釘は、遊技釘の尖端部を直接遊技盤に打ち込んで固定していたため、流下してきた遊技球が遊技釘に衝突するなどして荷重が掛かったとしても可動することはなく、単に遊技球をランダムに動作させ、あるいは若干跳ね返らせる程度の作用しかなかった。すなわち、従来の遊技釘では遊技球が遊技者の予測範囲を超えるような意表をついた軌道をとるような状態を作り出せず、遊技釘によって遊技の面白みを増大させることはできないという問題を有していた。
【０００４】
また、従来の遊技釘は上記のように遊技盤に固定して配設されていたため、遊技釘が比較的密集して配置されている場所に複数の遊技球が連続して流下してきたような場合、遊技釘間に遊技球が詰まってしまうことがあった。このような場合、遊技者は遊技を一時中断しなければならないため非常に煩わしく、また、店員はいちいちガラス枠を開放して詰まった遊技球を排除する等の面倒な作業を行わなければならないといった問題も有していた。
【０００５】
【発明が解決しようとする課題】
本発明は上記のような問題点に鑑みてなされたもので、その目的とするところは、遊技盤面に配設された遊技釘に荷重が掛かると遊技釘が可動するようにして、遊技者にとって遊技球が予測し得ない意表をついた軌道をとり、遊技の面白みを増大させると共に、遊技釘が密集して配設されている場所に遊技球が連続して流下したような場合でも、遊技球による荷重によって遊技釘を可動させ遊技釘間に遊技球が詰まるといった弊害を防止し得る弾球遊技機の遊技釘を提供しようとするものである。
【０００６】
【課題を解決するための手段】
上記した目的を達成するために、本発明は、弾球遊技機の遊技盤面上に位置して流下する遊技球の挙動を変化させる釘本体と、前記釘本体の遊技盤側軸部に設けられる弾性体からなる釘可動部材と、前記釘可動部材を遊技盤に固定する筒状部材とを備え、前記釘本体に荷重が掛かると該釘本体が可動しうるようにしたことを特徴としている。
【０００７】
また、好ましい態様として、前記釘本体を該釘本体の軸部を固定する保持体を介して前記釘可動部材に装着し得るようにするとよい。このように構成すると、一般に使用されている遊技機用の釘、すなわち、遊技盤に直接打ち込んで使用しているタイプの釘をそのまま利用することが可能になる。
【０００８】
さらに、好ましい態様として、前記筒状部材に蓋部材を設けるとよい。すなわち、筒状部材に蓋部材を設けると、遊技釘が可動する際の支点を遊技盤面と略同一面上に位置させることができ、また、筒状部材内の釘可動部材（弾性体）の抜けを防止したり、本発明に係る遊技釘の組み立てを容易にすることができる。
【０００９】
【発明の実施の形態】
次に、本発明の実施の形態を図面を参照して説明する。図１は本発明を弾球遊技機の一例としてのパチンコ遊技機に適用した図である。図1に示すように遊技盤１の表面にはガイドレール２で囲まれる遊技領域３が形成され、その遊技領域３の中央上部に図柄変動表示装置４が配設されている。また、図柄変動表示装置４の下方には通過始動口５が配設され、その下方には大入賞口６が配設されている。さらに、遊技領域４には普通入賞口７や風車８等が設けられていると共に、複数の遊技釘９が植設されている。これら遊技釘９のうち、Ａが本発明に係る遊技釘である。なお、図１のように遊技釘Ａを植設したのは一例であり、本発明に係る遊技釘Ａは遊技盤上の種々の場所を選択して植設することが可能である。
【００１０】
図２は本発明に係る遊技釘の縦断面図、図３は本発明に係る遊技釘を遊技盤に装着した状態を示す縦断面図、図４は本発明に係る遊技釘の分解斜視図である。図２乃至図４に示すように遊技釘Ａは釘本体１０と、該釘本体１０の軸部を固定する保持体１１と、釘可動部材としてのスプリング１２、筒状部材１３及び蓋部材１４とから構成されている。釘本体１０は円柱状の軸部１０ａの一端側に先端に向けて尖らせた突端部１０ｂ、他端側に半球形状の頭部１０ｃを設けて構成されたもので、通常用いられている遊技盤に打ち込んで固定するものと同一の構成のものである。
【００１１】
前記保持体１１は、釘本体１０の突端部１０ｂ側の軸部１０ａを保持する固定部１１ａと、鍔部１１ｂを設けて形成されている。また、保持体１１には釘本体１０の軸径と略同径の釘挿入孔１５が穿設されており、釘本体１０を嵌入しかつ保持し得るようになっている。このように、保持体１１を介して釘本体１０を釘可動部材に固定し得るようにすると、一般に使用されている遊技機用の釘、すなわち、遊技盤に直接打ち込んで使用しているタイプの釘をそのまま利用することが可能になる。さらに、前記保持体１１の固定部１１ａの外周に釘可動部材としてのスプリング１２を挿着している。なお、本実施の形態においては、釘可動部材としてスプリング１２を用いているが、これに限定されるわけではなく、例えばゴム等、種々の弾性体を利用することが可能である。
【００１２】
前記筒状部材１３は、その内部を中空状に形成した有底筒体で、その内側底部に円形の溝１６が設けられ、この溝１６にスプリング１２が挿嵌されてスプリング１２と筒状部材１３とが挿着されている。また、溝１６の中央には、前記した保持体１１の位置決め用の凹部１７が設けられている。
【００１３】
前記蓋部材１４は、環状の上蓋部１４ａと筒状の胴部１４ｂ及び底部１４ｃとからなり、前記筒状部材１３の内側に嵌合されている。前記上蓋部１４ａの中央には釘本体１０の軸径と略同径の貫通口１８が穿設されている。一方、前記底部１４ｃの中央には釘本体１０の軸径よりも大径で、かつ前記した保持体１１の鍔部１１ｂの軸径よりも小径の貫通孔１９が穿設されている。また、蓋部材１４の底部１４ｃが保持体１１の鍔部１１ｂをスプリング１２の弾発力に抗して押圧し、スプリング１２の抜けを防止している。
【００１４】
上記のように構成された本発明に係る遊技釘Ａは、図１に示すように遊技盤に装着して使用される。そこで、図４を参照して遊技釘Ａの遊技盤への好適な装着手順につき説明する。まず、スプリング１２に保持体１１の固定部１１ａを挿着し、スプリング１２を筒状部材１３の内側底部に設けられた溝１６に嵌合する。次いで、筒状部材１３に蓋部材１４を嵌合し、蓋部材１４の貫通口１８から釘本体１０を挿入して、釘本体１０の突端部１０ｂを保持体１１の釘挿入孔１５に軽く嵌め込んでおく。そして、筒状部材１３を遊技盤に任意に選択して穿設された取付孔２０に嵌入した後、遊技盤の前方から釘本体１０の頭部１０ｃをハンマー等によって軽く打撃すれば装着が終了する。このように、本発明は遊技盤への装着がきわめて簡単になし得る。
【００１５】
次に遊技盤に装着された本発明に係る遊技釘Ａの作用につき図３を参照しながら説明する。図３に示すように釘本体１０に荷重Ｆが掛かると、遊技釘はスプリング１２の弾性により図中実線で示す方向（荷重と反対の方向）へ角度５度を限度として可動する。一方、荷重Ｆが無くなると釘本体１０はスプリング１２の付勢力によってもとの状態、すなわち、遊技盤に対して略垂直に起立した状態に戻る。本発明に係る遊技釘Ａは上記のような作用を奏することから、遊技領域へと送り出された遊技球が遊技盤を流下し、釘本体１０に衝突すると釘本体１０が可動し、遊技球はその反動を受けて弾かれ、遊技者の予測範囲を超えるような意表をついた軌道をとることになる。また、遊技釘が密集して配設される場所に本発明に係る遊技釘Ａを植設しておけば、遊技球が連続して流下したような場合でも、遊技球による荷重によって遊技釘を可動させ遊技釘の間隔を押し広げることになるので遊技釘間に遊技球が詰まるといった弊害も生じない。さらに、いわゆる命釘と呼ばれる入賞口の上方に使用される２本の釘として本発明に係る遊技釘Ａを利用した場合、遊技球が命釘を通過する際、命釘が押し広げられることになるから、入賞口への入賞確立を向上させることもできる。
【００１６】
図５は本発明に係る遊技釘の他の実施の形態を示したものである。具体的には、前記した第１実施の形態の釘本体１０及び蓋部材１４と形状が異なる釘本体３０及び蓋部材３１を構成要素としている。なお、図５において、第１実施の形態と同じ構成要素については同一符号を付している。釘本体３０は円柱状の軸部３０ａの一端側に鍔部３０ｂ、他端側に半球形状の頭部３０ｃ、さらに略中央部分に球体部３０ｄとを一体的に形成して構成されている。また、蓋部材３１は環状の上蓋部３１ａと筒状の胴部３１ｂとからなり、その内側は釘本体３０の球体部３０ｄに対応した球面になっている。このような釘本体３０を使用した場合、球体部３０ｄを支点として釘本体３０が可動することになるので、釘本体３０がスムーズに可動する。なお、釘本体３０はこの第２実施の形態のような形状とした場合でも、必ずしも一体的に形成する必要はなく、鍔部と固定部とを有する保持体を別体として形成することも可能である。
【００１７】
【発明の効果】
以上のように、本発明に係る弾球遊技機の遊技釘は、遊技釘に荷重が掛かると遊技釘が可動するようにしたことから、遊技者にとって遊技球が予測し得ない意表をついた軌道をとることになり、遊技の面白みを増大させることができる。
【００１８】
また、遊技釘が密集して配設されている場所に遊技球が連続して流下したような場合でも、遊技球による荷重によって遊技釘を可動させるため、遊技釘間に遊技球が詰まるといった弊害を防止することができる。
【図面の簡単な説明】
【図１】本発明に係る遊技釘を適用したパチンコ遊技機の遊技盤の正面図である。
【図２】本発明に係る遊技釘を示した縦断面図である。
【図３】本発明に係る遊技釘を遊技盤に装着した状態を示す縦断面図である。
【図４】本発明に係る遊技釘の分解斜視図である。
【図５】本発明に係る遊技釘の他の実施形態を示した縦断面図である。
【符号の説明】
１０            釘本体
１１            保持体
１２            スプリング（釘可動部材）
１３            筒状部材
１４            蓋部材
【図１】
0003901435.tif 000002
【図２】
0003901435.tif 000003
【図３】
0003901435.tif 000004
【図４】
0003901435.tif 000005
【図５】
0003901435.tif 000006